(57)【要約】【課題】  切妻部に設けられる瓦本体と施工面との間の隙間の発生を容易に防止できる平板瓦葺きの防水構造を提供すること。【解決手段】  矩形状をした瓦本体１を、左右に隣接するもの相互はその側端部が重合され、下列のものの棟側表面に上列のものの軒側端部が重ねられた状態に野地板上に固定され施工がなされる。瓦本体１が、裏面側に野地板上面に当接する高さをもった補強リブ４を有するとともに、屋根周囲において前記野地板の側端面を隠す断面略Ｌ字で長尺状の水切り部材を重ねるよう併設させる平板瓦葺きの防水構造である。水切り部材の切妻部に設けられるもの上面にクッション性を有する防水パッキンを介在させ、瓦本体１を、補強リブ４の基端部厚みが先端部より厚くなるよう形成されたものとする。【選択図】図１
2005213727.tif 000002
【特許請求の範囲】
【請求項１】
矩形状をした瓦本体を、左右に隣接するもの相互はその側端部が重合され、下列のものの棟側表面に上列のものの軒側端部が重ねられた状態に野地板上に固定され施工がなされて、該瓦本体が、裏面側に野地板上面に当接する高さをもった補強リブを有するとともに、屋根周囲において前記野地板の側端面を隠す断面略Ｌ字で長尺状の水切り部材を重ねるよう併設させる平板瓦葺きの防水構造において、
前記水切り部材の切妻部に設けられるもの上面にクッション性を有する防水パッキンを介在させ、前記瓦本体を、前記補強リブの基端部厚みが先端部より厚くなるよう形成されたものとしたことを特徴とする平板瓦葺きの防水構造。
【請求項２】
矩形状をした瓦本体を、左右に隣接するもの相互はその側端部が重合され、下列のものの棟側表面に上列のものの軒側端部が重ねられた状態に野地板上に固定され施工がなされて、該瓦本体が、裏面側に野地板上面に当接する高さをもった補強リブを有するとともに、屋根周囲において前記野地板の側端面を隠す断面略Ｌ字で長尺状の水切り部材を重ねるよう併設させる平板瓦葺きの防水構造において、
前記水切り部材の切妻部に設けられるもの上面にクッション性を有する防水パッキンを介在させ、同防水パッキンを、前記瓦本体の上下方向重合部の間隔と略同一ピッチで瓦本体周縁の立壁を挿入させる複数の溝を設けたものとしたことを特徴とする平板瓦葺きの防水構造。
【発明の詳細な説明】
【技術分野】
【０００１】
本発明は屋根瓦に関し、詳しくは、下列の瓦本体の棟側表面に上列の瓦本体の軒側端部を重ねて施工する平板瓦葺きの防水構造に関する。
【背景技術】
【０００２】
従来、屋根瓦としては、陶器瓦などの粘土系、石綿セメント板瓦や繊維入りセメント板瓦などのスレート系、アルミ合金、銅板などを用いて裏側に断熱材を入れた金属系、またはその他の無機質材の屋根成形材料により形成されたセメント系の、４つの種類の瓦が知られている。
【０００３】
上記スレート系の屋根瓦においては、矩形状平板瓦である瓦本体の、下段のものの横方向側端部を当接させながら横方向に連接し、この下段のものの上に上段のものが等間隔に配置されるように重ね、この上段の瓦本体も横方向の側端部を当接させながら横方向に下段の瓦本体と同様に連接していくものであり、さらに、上段の瓦本体上に順次同様にして棟方向に葺設していくものである。
【０００４】
このようなスレート系の屋根瓦は、瓦本体の厚さが９〜１５ｍｍ程度しかない。そのため、屋根全体のデザイン上に重厚感をもたせることができなかった。すなわち、重厚感のあるようにするためには、瓦本体前端の厚みを厚くする必要が生じて屋根瓦全体の重量が増すこととなり、家全体の補強の必要性が生じたり、屋根、すなわち高所での施工作業がやりにくくなるという問題も生ずるからである。
【０００５】
そこで本願発明者らは、樹脂など軽量化の可能な材料を用いて瓦本体を製作する研究をおこなってきたが、その際に、施工された状態にて重厚感を出すために瓦本体の前側端部に立上り部を設け、この前側端部の立上り部を下段の瓦本体後側端部に重合させることや、瓦本体横方向の両側端部の重合構造を種々検討した。
【０００６】
軽量化材料を用いて重厚感を得るよう瓦本体を形成した屋根瓦として、例えば図４に示す、特開２００３−１９３６２４号公報に示されるようなものが提案されている。このものは、矩形状をした瓦本体１００の、横方向の各々の側端部に下片部と上片部とからなる第一重合部１０１を有するとともに、前側端部を下段の瓦本体１００の後側端部に重合する第二重合部を設けて成る屋根瓦である。そして、横方向の両側端部の重合部からの雨水の浸入や、火事などによる炎が内部に入りやすくなるのを防いで雨仕舞い性や防火性を改良するため、同図に示す如く、第一重合部１０１の、一方の側端部の下片部１０２を樋状に形成するとともに、他方の側端部の上片部裏面端部に第一垂下片１０３を形成し、この下片部と上片部とを重合して成るものである。このような平板瓦は、十分な踏みつけ強度を確保するため、裏面側には破線で示すように野地板上面に当接する高さをもった補強リブが設けられている。
【０００７】
上記平板瓦葺きの施工に関しては、たとえば図５に例示したように、軒先側から順に重ね葺き施工されるが、まず下段の瓦本体１００を、棟側となるその後端部において、屋根下地材である野地板上の桟木１０４等にビス止めする。このとき、上段の瓦本体１００の先端部、すなわち軒側の端部を固定するための金属製の瓦固定具１０５をビス止めと同時に取り付ける構造が検討されている。この平板瓦葺きによる屋根の軒先構造にあっては、同図に示すように、最下段の瓦本体１００の先端側下側に、野地板の軒先側端面を隠す、防水用の長尺状の軒先水切り部材１０７を併設させている。この軒先水切り部材１０７は、野地板の横桟木１０６にくぎ打ち固定され、最下段の瓦本体１００の前端部を横桟木１０６を貫通させて、野地板にパッキン付きの化粧ビス（図示せず）を用いて脳天ビス留め止めにより固定するようにしている。また、屋根の切妻部の防水構造は、野地板の側端面を隠す断面略Ｌ字で長尺状の切妻水切り部材１０９を重ねるよう併設させるが、水切り部材の上面にクッション性を有する長尺シート状の防水パッキン１０８を介在させる。
【０００８】
上記構成により、下段の瓦本体１００上に葺設された上段の瓦本体１００の、横方向両側端部の重合部や屋根周囲からの雨水の浸入や、炎の進入を防止することのできて、軽量でしかも重厚感のある屋根瓦を提供することが可能となった。
【０００９】
上記平板瓦葺きの施工構造は、瓦本体１００の後端部はビス止めにより強固に固定され、先端部は瓦固定具１０５の瓦差込み部によりしっかりと保持されて、軒先及び切妻にあっては、水切り部材の存在により雨仕舞構造が形成される。しかしながら、切妻水切り部材１０９にあって、その上面の防水パッキン１０８の存在により、瓦本体１００の施工面への固定が不安定となったり、図６に示すように、補強リブの箇所や、上段と下段との瓦本体１００の重合部付近では防水パッキン１０８の変形による凹凸が著しくなって、施工面との間に隙間ａ、隙間ｂが生ずることとなり、防水性の得られなくなる状態の生じやすいという問題があった。
【特許文献１】特開２００３−１９３６２４号公報
【発明の開示】
【発明が解決しようとする課題】
【００１０】
本願発明は、上記背景技術に鑑みてなされたものであり、その課題は、切妻部に設けられる瓦本体と施工面との間の隙間の発生を容易に防止できる平板瓦葺きの防水構造を提供することである。
【課題を解決するための手段】
【００１１】
上記課題を解決するために、本願発明の平板瓦葺きの防水構造は、矩形状をした瓦本体を、左右に隣接するもの相互はその側端部が重合され、下列のものの棟側表面に上列のものの軒側端部が重ねられた状態に野地板上に固定され施工がなされて、該瓦本体が、裏面側に野地板上面に当接する高さをもった補強リブを有するとともに、屋根周囲において前記野地板の側端面を隠す断面略Ｌ字で長尺状の水切り部材を重ねるよう併設させる平板瓦葺きの防水構造において、前記水切り部材の切妻部に設けられるもの上面にクッション性を有する防水パッキンを介在させ、前記瓦本体を、前記補強リブの基端部厚みが先端部より厚くなるよう形成されたものとしている。
【００１２】
また、矩形状をした瓦本体を、左右に隣接するもの相互はその側端部が重合され、下列のものの棟側表面に上列のものの軒側端部が重ねられた状態に野地板上に固定され施工がなされて、該瓦本体が、裏面側に野地板上面に当接する高さをもった補強リブを有するとともに、屋根周囲において前記野地板の側端面を隠す断面略Ｌ字で長尺状の水切り部材を重ねるよう併設させる平板瓦葺きの防水構造において、前記水切り部材の切妻部に設けられるもの上面にクッション性を有する防水パッキンを介在させ、同防水パッキンを、前記瓦本体の上下方向重合部の間隔と略同一ピッチで瓦本体周縁の立壁を挿入させる複数の溝を設けたものとするのも好ましい。
【発明の効果】
【００１３】
本願発明の平板瓦葺きの防水構造においては、屋根周囲となる切妻部において、野地板の側端面を隠す断面略Ｌ字で長尺状の水切り部材上面に設けられるクッション性をもった防水パッキンと、矩形状をした瓦本体裏面側の基端部厚みが先端部より厚くなるよう形成された補強リブとが密着するよう野地板上に固定され施工がなされるため、切妻部に設けられる瓦本体と施工面との間での隙間の発生を容易に防止できる。
【００１４】
また、屋根周囲となる切妻部において、野地板の側端面を隠す断面略Ｌ字で長尺状の水切り部材上面に設けられるクッション性をもった防水パッキンに、瓦本体の上下方向重合部の間隔と略同一ピッチとなるよう設けられた複数の溝に瓦本体周縁の立壁が挿入されて野地板上に固定され施工がなされるため、切妻部に設けられる瓦本体と施工面との間での隙間の発生を容易に防止できる。
【発明を実施するための最良の形態】
【００１５】
図１、図２は、本願の請求項１、２に対応した一実施形態である平板瓦葺きの防水構造の瓦本体の要部を示している。この実施形態の屋根瓦は、背景技術の項にて説明したものと同じく、瓦本体１が矩形状をしており、左右に隣接するもの相互はその側端部が重合され、下列のものの棟側表面に上列のものの軒側端部が重ねられた状態に設置され施工なされるものであり、図１に示す如く、裏面側に野地板上面に当接する高さをもった補強リブ４を有し、補強リブ４の基端部厚みが先端部より厚くなるよう形成されている。
【００１６】
この瓦本体１の前側端部は、下列の瓦本体１の後側端部に重合する第二重合部となる部分で、瓦本体１周縁の立壁、すなわち立上り部２に並行に、瓦本体１内部への雨水や火事等で発生する炎の進入を防止する縦断面矩形状の垂下片５が横方向に連設され、同様に、上列の瓦本体１の前側端部に重合する第二重合部となる後周壁３にも、縦断面矩形状の立片３１が延設されている。なお、横方向の各々の側端部には、第一重合部となるリブを設けて、背景技術の項にて説明したものと同様に雨仕舞い性や防火性の配慮をおこなっている。
【００１７】
補強リブ４としては、瓦本体１裏面側に、上下にわたる縦リブ４１及び横方向に連設された横リブ４２の複数が格子状に設けられており、図１において詳しく示すように、この場合、横リブ４２が、基端部厚みが先端部より厚くなるよう縦断面台形状に形成されており、さらに基端部４３がアール状に滑らかに瓦本体１裏面へとつながっている。
【００１８】
この瓦本体１は、前記したように矩形状平板であり、塩化ビニール樹脂、アクリル樹脂、ポリカーボネート等の樹脂を用いて、射出成形や注型等により製造することができる。また、屋根材として不燃性や強度を向上させる必要があり、ガラス繊維やスチール繊維、ガラスビーズ、炭酸カルシウム等の不燃材料を充填材として適宜配合することが好ましい。これにより、重厚感のある形状を現出させ、軽量化及び強度の大なる屋根瓦を作ることができる。
【００１９】
この実施形態の平板瓦葺きの防水構造においては、屋根の切妻部にて、野地板の側端面を隠す断面略Ｌ字で長尺状の切妻水切り部材上面に、図２に示すような、長尺シート状の防水パッキン６を介在させる。この防水パッキン６は、合成ゴム、天然ゴムなどのゴム系あるいはスポンジ系のクッション性を有する所定幅をもったシート条材料を用い、屋根の野地板上に下列のものの棟側表面に上列のものの軒側端部が重ねられた状態に施工する際に上下方向重合部の間隔と略同一ピッチに固定されるよう、同図に示すように、矩形状瓦本体１の縦寸法と略同一間隔で所定寸法深さをもった複数の溝７、７…を刻設させて製造することができる。
【００２０】
この実施形態の瓦本体１による瓦葺きにおいては、背景技術の項にて示した屋根瓦と同じく、下段のものの上に上段のものが等間隔に配置されるように重ね葺きしてゆくが、瓦本体１は、横方向の側端部を重合させながら横方向に連接していき、下段の瓦本体１の後端側を瓦固定具とともに桟木や野地板等の屋根下地材にビス止め固定され、瓦固定具に設けられた瓦差込み部に上段の瓦本体１の先端側を差し込んで保持するようにして屋根に設置される。
【００２１】
また、屋根周囲となる切妻部においては、図３に示すように、野地板の側端面を隠す断面略Ｌ字で長尺状の水切り部材上面（図示せず）において、矩形状をした瓦本体１裏面側の基端部厚みが先端部より厚くなるよう形成された補強リブ４すなわち横リブ４２と、クッション性をもった防水パッキン６とが密着するよう野地板上に固定される。この場合、瓦本体１の上下方向重合部の間隔と略同一ピッチとなるよう設けられた複数の溝７、７…に瓦本体１周縁の立壁、すなわち第二重合部となる後周壁３が挿入されて野地板上に位置決め固定されて、矢印Ａにて示す部分にあっても凹凸の発生が少なく、防水構造をもった施工がなされる。
【００２２】
したがって、以上説明した平板瓦葺きの防水構造によると、屋根周囲となる切妻部において、野地板の側端面を隠す断面略Ｌ字で長尺状の水切り部材上面に設けられるクッション性をもった防水パッキン６と、矩形状をした瓦本体１裏面側の基端部厚みが先端部より厚くなるよう形成された補強リブ４（４２）とが密着するよう野地板上に固定され施工がなされるため、防水パッキン６の凹凸の発生が少なく、以って、切妻部に設けられる瓦本体１と施工面との間での隙間の発生を容易に防止できる。
【００２３】
また、屋根周囲となる切妻部において、野地板の側端面を隠す断面略Ｌ字で長尺状の水切り部材上面に設けられるクッション性をもった防水パッキン６に、瓦本体１の上下方向重合部の間隔と略同一ピッチとなるよう設けられた複数の溝７、７、…に瓦本体１周縁の立壁、すなわち第二重合部となる後周壁３が挿入されて野地板上に固定され施工がなされるため、防水パッキン６の凹凸の発生が少なく、以って、切妻部に設けられる瓦本体と施工面との間での隙間の発生を容易に防止できる。
【００２４】
なお、この実施形態の屋根瓦による平板瓦葺きの防水構造にあっては、裏面側の基端部厚みが先端部より厚くなるよう形成された補強リブ４（４２）をもった瓦本体１と、瓦本体１の縦寸法と略同一間隔で所定寸法深さをもった複数の溝７、７…の刻設された防水パッキン６とを同時に使用した構成にて説明したが、本発明は、補強リブの基端部厚みが先端部より厚くなるよう形成された瓦本体１、あるいは、瓦本体１の上下方向重合部の間隔と略同一ピッチで瓦本体１周縁の立壁を挿入させる複数の溝を設けた防水パッキン６の、何れか一方のみの構成による構造であっても良いことは言うまでも無い。
【図面の簡単な説明】
【００２５】
【図１】本願発明の一実施形態である平板瓦葺きの防水構造に用いる屋根瓦の概略構造を示した、一部拡大図を含んだ断面側面図。
【図２】本願発明の一実施形態である平板瓦葺きの防水構造に用いる防水パッキンを示した、断面図を含んだ断面側面図。
【図３】同平板瓦葺きの防水構造における一施工状態を示す説明図。
【図４】従来例である屋根瓦の全体を示す斜視図。
【図５】従来例の屋根瓦における施工状態を示す説明図。
【図６】従来例の平板瓦葺きの防水構造における施工状態を示す他の説明図。
【符号の説明】
【００２６】
１  瓦本体
３  後周壁（立壁）
４  補強リブ
６  防水パッキン
７  溝
【図１】
2005213727.tif 000003
【図２】
2005213727.tif 000004
【図３】
2005213727.tif 000005
【図４】
2005213727.tif 000006
【図５】
2005213727.tif 000007
【図６】
2005213727.tif 000008